(57)【要約】【課題】ユーザに関するデータの測定を行うときに消費される電力をできるだけ抑えること。【解決手段】１つの態様において、電子機器（例えば、携帯電話１）は、通話に用いられる電子機器であって、気体に含まれる物質を検出するセンサと、通話機能の実行中である場合、前記センサを有効な状態にするコントローラとを有する。例えば、携帯電話１は、通話アプリケーション９Ｂが実行中である場合には、嗅覚センサ７を稼動させる（有効な状態とする）。一方で、携帯電話１は、通話アプリケーション９Ｂが停止中である場合には、嗅覚センサ７を稼動させない（無効な状態とする）。【選択図】図５
2014007651.tif 000002
【特許請求の範囲】
【請求項１】
通話に用いられる電子機器であって、
気体に含まれる物質を検出するセンサと、
通話機能の実行中である場合、前記センサを有効な状態にするコントローラと
を有する電子機器。
【請求項２】
前記コントローラは、前記通話機能による発信に応じた通話を開始する場合、前記発信を行うための発信操作を利用者から受け付けたときに、前記センサを有効な状態にする請求項１に記載の電子機器。
【請求項３】
前記コントローラは、前記通話機能による発信に応じた通話を開始する場合、前記発信に対応する電話接続が確立されたときに、前記センサを有効な状態にする請求項１に記載の電子機器。
【請求項４】
通話時に利用者からの音声が入力される音声入力部をさらに備え、
前記コントローラは、前記通話機能による発信に応じた通話を開始する場合、前記発信に対応する電話接続が確立された後、前記音声入力部に対して入力される前記音声の音圧が所定値以上となったときに、前記センサを有効な状態にする請求項１に記載の電子機器。
【請求項５】
前記コントローラは、前記通話機能による着信に応じた通話を開始する場合、前記着信に応じるための応答操作を利用者から受け付けたときに、前記センサを有効な状態にする請求項１〜４のいずれか１つに記載の電子機器。
【請求項６】
通話時に相手側から受信する音声を出力する音声出力部をさらに備え、
前記コントローラは、前記通話機能による着信に応じた通話を開始する場合、前記着信に対応する電話接続が確立された後、前記音声出力部から出力される前記音声の音圧が所定値以上となったときに、前記センサを有効な状態にする請求項１〜４のいずれか１つに記載の電子機器。
【請求項７】
前記コントローラは、前記通話機能の実行を終了したときに、前記センサを無効な状態にする請求項１〜６のいずれか１つに記載の電子機器。
【請求項８】
前記コントローラは、前記通話機能による通話を終了するための終話操作を利用者から受け付けたときに、前記センサを無効な状態にする請求項７に記載の電子機器。
【請求項９】
前記コントローラは、前記通話機能による通話の相手側により電話接続が解放されたときに、前記センサを無効な状態にする請求項７に記載の電子機器。
【請求項１０】
通話に用いられる電子機器によって実行される制御方法であって、
通話機能の実行中であるか否かを判定するステップと、
通話機能の実行中であると判定した場合に、気体に含まれる物質を検出するセンサを有効な状態にするステップと
を含む制御方法。
【請求項１１】
通話に用いられる電子機器に、
通話機能の実行中であるか否かを判定するステップと、
通話機能の実行中であると判定した場合に、気体に含まれる物質を検出するセンサを有効な状態にするステップと
を実行させる制御プログラム。
【発明の詳細な説明】
【技術分野】
【０００１】
本出願は、電子機器、制御方法及び制御プログラムに関する。
【背景技術】
【０００２】
近年、ニオイの原因物質を測定する技術を様々な産業分野に応用するための利用した研究開発が進められ、既に多くが実用化され始めている。例えば、特許文献１には、飲酒運転の防止を図ることを目的として、ユーザの呼気に含まれるアルコール量を、ユーザが所持する携帯電話に接続されたデバイスにより測定するシステムが開示されている。医療分野では、呼気に含まれる二酸化炭素濃度に基づいてピロリ菌の存在を検出する為の装置なども実用化されている。
【先行技術文献】
【特許文献】
【０００３】
【特許文献１】特開２００５−１２２６７３号公報
【発明の概要】
【発明が解決しようとする課題】
【０００４】
ところで、携帯電話には、多種多様な機能が搭載されるようになり、それに伴う電力消費が問題となっている。仮に、ユーザに関するデータとして、ニオイの原因物質などを測定するための機能を携帯電話に搭載する場合には、省電力化を図かりつつ、測定データを取得する仕組みが求められる。
【０００５】
上記のことから、ユーザに関するデータの測定を行うときに消費される電力をできるだけ抑えることができる電子機器、制御方法及び制御プログラムに対する必要性がある。
【課題を解決するための手段】
【０００６】
１つの態様に係る電子機器は、通話に用いられる電子機器であって、気体に含まれる物質を検出するセンサと、通話機能の実行中である場合、前記センサを有効な状態にするコントローラとを有する。
【０００７】
１つの態様に係る制御方法は、通話に用いられる電子機器によって実行される制御方法であって、通話機能の実行中であるか否かを判定するステップと、通話機能の実行中であると判定した場合に、気体に含まれる物質を検出するセンサを有効な状態にするステップとを含む。
【０００８】
１つの態様に係る制御プログラムは、通話に用いられる電子機器に、通話機能の実行中であるか否かを判定するステップと、通話機能の実行中であると判定した場合に、気体に含まれる物質を検出するセンサを有効な状態にするステップとを実行させる。
【図面の簡単な説明】
【０００９】
【図１】図１は、実施形態に係る携帯電話１の正面図である。
【図２】図２は、実施形態に係る携帯電話１のＡ−Ａ断面図である。
【図３】図３は、実施形態に係る携帯電話１のＢ−Ｂ断面図である。
【図４】図４は、実施形態に係る携帯電話１のＣ−Ｃ断面図である。
【図５】図５は、実施形態１に係る携帯電話のブロック図である。
【図６】図６は、実施形態１に係る携帯電話による処理手順の一例を示す図である。
【図７】図７は、実施形態１に係る通話アプリケーションの実行状態と嗅覚センサの稼動状態との関係を示す図である。
【図８】図８は、実施形態１に係る携帯電話による処理手順の一例を示す図である。
【図９】図９は、実施形態２に係る通話アプリケーションの実行状態と嗅覚センサの稼動状態との関係を示す図である。
【図１０】図１０は、実施形態３に係る携帯電話による処理手順の一例を示す図である。
【図１１】図１１は、実施形態３に係る通話アプリケーションの実行状態と嗅覚センサの稼動状態との関係を示す図である。
【図１２】図１２は、実施形態４に係る携帯電話による処理手順の一例を示す図である。
【図１３】図１３は、実施形態４に係る通話アプリケーションの実行状態と嗅覚センサの稼動状態との関係を示す図である。
【図１４】図１４は、実施形態５に係る携帯電話による処理手順の一例を示す図である。
【図１５】図１５は、実施形態５に係る通話アプリケーションの実行状態と嗅覚センサの稼動状態との関係を示す図である。
【図１６】図１６は、実施形態６に係る携帯電話による処理手順の一例を示す図である。
【図１７】図１７は、実施形態６に係る通話アプリケーションの実行状態と嗅覚センサの稼動状態との関係を示す図である。
【発明を実施するための形態】
【００１０】
本発明を実施するための実施形態を、図面を参照しつつ詳細に説明する。以下では、電子機器の例として、携帯電話について説明する。
【００１１】
図１〜図４を参照しながら、以下に説明する実施形態に係る携帯電話の物理的な構成について説明する。図１は、実施形態に係る携帯電話１の正面図である。図２は、実施形態に係る携帯電話１のＡ−Ａ断面図である。図３は、実施形態に係る携帯電話１のＢ−Ｂ断面図である。図４は、実施形態に係る携帯電話１のＣ−Ｃ断面図である。
【００１２】
図１〜図４に示すように、携帯電話１は、筺体４０を有する。筺体４０は、複数の面４１〜４６を有し、それらの面の内側及び外側で各種の部品を保持する。携帯電話１の面４１は、開口部４１ａ及び開口部４１ｂを有する。開口部４１ａは、通話時に利用者の音声を取り込むために設けられる。開口部４１ｂは、通話時に相手の音声を外部に出力するために設けられる。このため、開口部４１ａ及び開口部４１ｂは、通話時に開口部４１ａが利用者の口の近くに位置し、開口部４１ｂが利用者の耳の近くに位置するように、一方が面４１の一方の端部に設けられ、もう一方が他方の端部に設けられる。
【００１３】
開口部４１ｂの内部には、スピーカ１１が配設される。スピーカ１１は、出力する音が開口部４１ｂから外部に放出される向きで配設される。スピーカ１１は、主に、通話中の音声を出力する用途で用いられる場合、レシーバと呼ばれることがある。
【００１４】
開口部４１ａの内部には、例えば、図４に示すように、嗅覚センサ７及びマイク８が、近接して配設される。嗅覚センサ７は、開口部４１ａから取り込まれる気体に含まれる物質が好適に検出される向きで配設される。具体的には、図３及び図４に示すように、嗅覚センサ７は、矢印Ａ２が示す向きで取り込まれる気体に含まれる物質が好適に検出される向きで配設される。マイク８は、開口部４１ａを通じて伝わる音声が好適に検出される向きで配設される。具体的には、図２及び図４に示すように、マイク８は、矢印Ａ２と平行な矢印Ａ１が示す向きで伝わる音声が好適に検出される向きで配設される。
【００１５】
このように、嗅覚センサ７は、マイク８の近傍に配設される。さらに、嗅覚センサ７及びマイク８は、開口部４１ａに対向する位置に配設される。このため、利用者が通話時にマイク８が声を取得しやすいように開口部４１ａを口の近くにもっていくと、利用者の呼気は、マイク８だけでなく、嗅覚センサ７へも到達する。その結果、利用者の呼気に含まれる物質が、嗅覚センサ７によって検出される。
【００１６】
このような構成により、携帯電話１は、通話を行われる場合に、利用者が通話のための操作以外の動作を特に行わなくても、利用者の呼気に含まれる物質を検出し、各種の判定に用いることができる。すなわち、携帯電話１は、非侵襲かつ無意識に、利用者の呼気に含まれる物質を検出することができる。このような効果を得るための構成は、図１から図４に示した構成に限定されない。より一般的には、少なくとも、嗅覚センサ７が、マイク８の近傍に配設されていればよい。
【００１７】
（実施形態１）
図５を参照しながら、実施形態１に係る携帯電話１の機能的な構成について説明する。図５は、実施形態１に係る携帯電話のブロック図である。図５に示すように、携帯電話１は、ディスプレイ２と、ボタン３と、照度センサ４と、近接センサ５と、通信ユニット６と、マイク８と、ストレージ９と、コントローラ１０と、スピーカ１１と、カメラ１２と、姿勢検出ユニット１５と、バイブレータ１８と、タッチスクリーン２１とを備える。
【００１８】
ディスプレイ２は、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２は、文字、画像、記号、及び図形等を表示する。
【００１９】
ボタン３は、利用者からの操作入力を受け付ける。ボタン３の数は、単数であっても、複数であってもよい。
【００２０】
照度センサ４は、携帯電話１の周囲光の照度を検出する。照度は、光の強さ、明るさ、又は輝度を示す。照度センサ４は、例えば、ディスプレイ２の輝度の調整に用いられる。
【００２１】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２が顔に近づけられたことを検出する。照度センサ４及び近接センサ５は、一つのセンサとして構成されていてもよい。照度センサ４は、近接センサとして用いられてもよい。
【００２２】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００２３】
嗅覚センサ７は、気体に含まれる物質を検出する。例えば、嗅覚センサ７は、気体に含まれ特定の物質の濃度を測定する。嗅覚センサ７は、匂いセンサ又は呼気センサと呼ばれることもある。嗅覚センサ７が検出する物質には、各種の化学物質が含まれる。嗅覚センサ７が検出する物質には、例えば、口臭の程度の判定、飲酒の判定、ストレスの診断、がん等の疾病の早期発見等に用いられる物質が含まれる。嗅覚センサ７が検出する物質は、人の嗅覚では検出不能であるが、例えば、犬の嗅覚では検出可能な物質であってもよい。嗅覚センサ７は、複数の物質を選択的に検出することができるように構成されてもよい。嗅覚センサ７は、気体に含まれる物質の検出結果をコントローラ１０に送出しても良いし、気体に含まれる特定の物質の濃度などの測定データを、コントローラ１０に送り出してもよい。嗅覚センサ７から測定データがコントローラ１０に送り出される構成の場合、コントローラ１０側で、物質の検出判定を実行する。
【００２４】
嗅覚センサ７は、表面弾性波（ＳＡＷ：Ｓｕｒｆａｃｅ  Ａｃｏｕｓｔｉｃ  Ｗａｖｅ）デバイスとして構成されてもよい。表面弾性波デバイスは、低電力化及び高集積化に有利であり、そのため、バッテリで駆動され、小型化が求められる携帯電話に備えるのに好適である。
【００２５】
マイク８は、音入力部である。マイク８は、入力される音を電気信号へ変換し、コントローラ１０に送り出す。マイク８は、例えば、通話中にユーザから発生された音声を入力した場合、音信号の音圧レベルをコントローラ１０に送り出す。
【００２６】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２７】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２に画面を表示させ、タッチスクリーン２１によって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００２８】
ストレージ９は、例えば、制御プログラム９Ａ、通話アプリケーション９Ｂ、及び設定データ９Ｚを記憶する。通話アプリケーション９Ｂは、無線通信による通話のための通話機能を提供する。設定データ９Ｚは、携帯電話１の動作に関連する各種の設定及び処理に関する情報を含む。例えば、設定データ９Ｚには、嗅覚センサが有効な状態であるか否かを管理するための嗅覚センサ管理情報などが含まれる。
【００２９】
制御プログラム９Ａは、携帯電話１を稼働させるための各種制御に関する機能を提供する。制御プログラム９Ａは、例えば、通信ユニット６及びマイク８等を制御することによって、通話を実現させる。制御プログラム９Ａが提供する機能は、通話アプリケーション９Ｂ等の他のプログラムが提供する機能と組み合わせて利用されることがある。
【００３０】
さらに、制御プログラム９Ａには、通話機能の実行中である場合、嗅覚センサ７を有効な状態にする機能が含まれる。少なくとも、通話アプリケーション９Ｂにより提供される機能が実行されている場合、通話機能の実行中と判断する。例えば、通話アプリケーション９Ｂにより提供される機能が実行されている状態には、ユーザの操作に伴って、通話に関する操作を行うためのユーザインタフェースがディスプレイ２に表示されている状態が含まれる。通話アプリケーション９Ｂにより提供される機能が実行されている状態には、着信をユーザに報知する着信画面がディスプレイに表示されている状態が含まれる。通話アプリケーション９Ｂにより提供される機能が実行されている状態には、例えば、ユーザインタフェース上で実行されるユーザの発信操作に伴って確立された電話接続を介して通話に関する処理が開始されてから、通話に関する処理が終了されるまでの状態が含まれる。例えば、通話アプリケーション９Ｂにより提供される機能が実行されている状態には、着信画面上で実行されるユーザの着信応答操作に伴って確立された電話接続を介して通話に関する処理が開始されてから、通話に関する処理が終了されるまでの状態が含まれる。通話に関する処理が終了する場合には、例えば、ユーザの終話操作が行われた場合、通話の相手側による電話接続の解放（相手側による通話終了）が行われた場合、電話接続が切断された場合などがある。通話アプリケーション９Ｂは、通話に関する処理の終了と同時に、実行が停止されてもよい。あるいは、通話アプリケーション９Ｂは、通話に関する処理が終了した場合であっても、実行を継続されてもよい。この場合、通話アプリケーション９Ｂは、通話に関する操作を行うためのユーザインタフェースの終了操作など（ディスプレイ２からの消去など）、通話アプリケーション９Ｂを終了させるための操作によって実行が停止される。
【００３１】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、携帯電話１の動作を統括的に制御して各種の機能を実現する。
【００３２】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２、通信ユニット６、マイク８、スピーカ１１、バイブレータ１８を含むが、これらに限定されない。コントローラ１０は、検出部の検出結果に応じて、制御を変更することがある。検出部は、例えば、ボタン３、照度センサ４、近接センサ５、嗅覚センサ７、カメラ１２、姿勢検出ユニット１５、及びタッチスクリーン２１を含むが、これらに限定されない。
【００３３】
コントローラ１０は、例えば、制御プログラム９Ａを実行することにより、通話機能の実行中である場合、嗅覚センサ７を有効な状態にする。コントローラ１０は、少なくとも、通話アプリケーション９Ｂにより提供される機能を実行中である場合、通話機能の実行中と判断する。例えば、コントローラ１０は、通話に関する操作を行うためのユーザインタフェースがディスプレイ２に表示されている状態にある場合、通話機能が実行中であると判断する。例えば、コントローラ１０は、着信をユーザに報知する着信画面がディスプレイに表示されている状態にある場合、通話機能が実行中であると判断する。例えば、コントローラ１０は、ユーザインタフェース上で実行されるユーザの発信操作に伴って確立された電話接続を介して通話に関する処理が開始されてから、通話に関する処理が終了されるまでの間、通話機能が実行中であると判断する。例えば、コントローラ１０は、着信画面上で実行されるユーザの着信応答操作に伴って確立された電話接続を介して通話に関する処理が開始されてから、通話に関する処理が終了されるまでの間、通話機能が実行中であると判断する。コントローラ１０は、通話に関する処理が終了される場合、通話アプリケーション９Ｂの実行も停止されたものと判断する。通話に関する処理が終了される場合には、例えば、ユーザの終話操作が行われた場合、通話の相手側による電話接続の解放（相手側による通話終了）が行われた場合、電話接続が切断された場合などがある。コントローラ１０は、通話に関する処理が終了された場合であっても、通話に関する操作を行うためのユーザインタフェースの終了操作など（ディスプレイ２からの消去など）が行われるまでは、通話機能の実行中であると判断してもよい。
【００３４】
本出願において、コントローラ１０がプログラム（又は、アプリケーション）を起動する場合には、ストレージ９に記憶されているプログラムを新たに読み出してその処理を開始する場合と、既に読み出されているプログラムの処理を新たに開始する場合とが含まれる。本出願において、コントローラ１０がプログラムを実行する場合には、プログラムを起動する場合と、中断中のプログラムを再開する場合と、起動済のプログラムの処理を継続する場合とが含まれる。
【００３５】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００３６】
スピーカ１１は、音を出力する音出力部である。スピーカ１１は、例えば、ダイナミックスピーカであり、電気信号を変換した音をユーザなどへ伝えることができる。スピーカ１１は、例えば、通話中の音声、音楽コンテンツ又は動画コンテンツなどの音を出力するために用いられる。スピーカ１１は、主に、通話中の音声を出力する用途で用いられる場合、レシーバと呼ばれる場合がある。
【００３７】
カメラ１２は、ディスプレイ２に面している物体を撮影するインカメラである。カメラ１２は、撮影した画像を電気信号へ変換する。携帯電話１は、カメラ１２に加えて、ディスプレイ２の反対側の面に面している物体を撮影するアウトカメラを備えてもよい。
【００３８】
姿勢検出ユニット１５は、携帯電話１の姿勢を検出する。姿勢検出ユニット１５は、姿勢を検出するために、加速度センサ、方位センサ、及びジャイロスコープの少なくとも１つを備える。
【００３９】
バイブレータ１８は、携帯電話１の一部又は全体を振動させる。バイブレータ１８は、振動を発生させるために、例えば、圧電素子、又は偏心モータなどを有する。バイブレータ１８による振動は、音を伝えるためではなく、着信等の各種のイベントを利用者に報知するために用いられる。
【００４０】
タッチスクリーン２１は、タッチスクリーン２１に対する接触を検出する。タッチスクリーン２１は、指、ペン、又はスタイラスペン等による利用者の接触操作を検出するために用いられる。タッチスクリーン２１を用いて検出されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。タッチスクリーン２１の検出方式は、静電容量方式、抵抗膜方式、表面弾性波方式（又は超音波方式）、赤外線方式、電磁誘導方式、及び荷重検出方式等の任意の方式でよい。
【００４１】
図５に示した携帯電話１の機能的な構成は例であり、本発明の要旨を損なわない範囲において適宜変更してよい。例えば、携帯電話１は、姿勢検出ユニット１５及びタッチスクリーン２１を備えなくてもよい。
【００４２】
図６を参照して、実施形態１に係る携帯電話１の処理手順の一例を説明する。図６は、実施形態１に係る携帯電話による処理手順の一例を示す図である。図６に示す処理手順は、コントローラ１０が、ストレージ９に記憶されている制御プログラム９Ａなどを実行することによって実現される。図６に示す処理手順は、携帯電話１の起動中、コントローラ１０により繰り返し実行される。
【００４３】
図６に示すように、コントローラ１０は、ステップＳ１０１として、通話アプリケーション９Ｂが実行中であるかどうかを判定する。通話アプリケーション９Ｂにより提供される機能が実行中である場合には、通話アプリケーション９Ｂが実行中であるものと判断する。通話アプリケーション９Ｂにより提供される機能が実行中である場合には、例えば、ユーザの操作に伴って、通話に関する操作を行うためのユーザインタフェースがディスプレイ２に表示されている状態が含まれる。さらに、通話アプリケーション９Ｂにより提供される機能が実行されている状態には、例えば、着信をユーザに報知する着信画面がディスプレイに表示されている状態が含まれる。さらに、通話アプリケーション９Ｂにより提供される機能が実行されている状態には、例えば、ユーザインタフェース上で実行されるユーザの発信操作に伴って確立された電話接続を介して通話に関する処理が開始されてから、通話に関する処理が終了されるまでの状態が含まれる。さらに、通話アプリケーション９Ｂにより提供される機能が実行されている状態には、例えば、着信画面上で実行されるユーザの着信応答操作に伴って確立された電話接続を介して通話に関する処理が開始されてから、通話に関する処理が終了されるまでの状態が含まれる。
【００４４】
コントローラ１０は、判定の結果、通話アプリケーション９Ｂが実行中である場合には（ステップＳ１０１、Ｙｅｓ）、ステップＳ１０２として、嗅覚センサ７が無効な状態であるか否かを判定する。
【００４５】
コントローラ１０は、判定の結果、嗅覚センサ７が無効な状態である場合には（ステップＳ１０２、Ｙｅｓ）、ステップＳ１０３として、嗅覚センサ７を有効な状態にして、図６に示す処理手順を終了する。一方、コントローラ１０は、判定の結果、嗅覚センサ７が無効な状態ではない場合（つまり、有効な状態である場合）には（ステップＳ１０２、Ｎｏ）、そのまま、図６に示す処理手順を終了する。
【００４６】
ステップＳ１０１において、コントローラ１０は、判定の結果、通話アプリケーション９Ｂが実行中ではない場合には（ステップＳ１０１、Ｎｏ）、ステップＳ１０４として、嗅覚センサ７が有効な状態であるか否かを判定する。
【００４７】
コントローラ１０は、判定の結果、嗅覚センサ７が有効な状態である場合には（ステップＳ１０４、Ｙｅｓ）、ステップＳ１０５として、嗅覚センサ７を無効な状態にして、図６に示す処理手順を終了する。一方、コントローラ１０は、判定の結果、嗅覚センサ７が有効な状態ではない場合（つまり、無効な状態である場合）には（ステップＳ１０４、Ｎｏ）、そのまま、図６に示す処理手順を終了する。
【００４８】
図７は、実施形態１に係る通話アプリケーションの実行状態と嗅覚センサの稼動状態との関係を示す図である。図７に示すように、図６に示す処理手順によれば、携帯電話１は、例えば、ユーザの操作や着信などに応じて起動された通話アプリケーション９Ｂが実行中の状態にある場合には、嗅覚センサ７を稼動させる（有効な状態とする）。一方で、携帯電話１は、通話アプリケーション９Ｂが停止中である場合には、嗅覚センサ７を稼動させない（無効な状態とする）。このため、実施形態１によれば、ユーザに関するデータの測定を行うときに嗅覚センサ７により消費される電力をできるだけ抑えることができる。さらに、実施形態１によれば、嗅覚センサ７による測定対象が、例えば、ユーザの呼気に含まれる特定の物質の濃度である場合に、測定データを効率的に取得できる。
【００４９】
（実施形態２）
実施形態２では、ユーザの電話発信操作が行われたときに、嗅覚センサ７を有効な状態にする例を説明する。実施形態２に係る携帯電話の機能的な構成は、基本的には、実施形態１と同様であるが、以下に説明する点が異なる。
【００５０】
制御プログラム９Ａには、電話発信操作が行われたときに、嗅覚センサ７を有効な状態にする機能が含まれる。電話発信操作には、例えば、ボタン３による操作が含まれる。電話発信操作には、通話に関する操作を行うためのユーザインタフェース上で、電話発信を行うためにユーザにより実行される操作が含まれる。通話に関する操作を行うためのユーザインタフェース上でユーザにより行われる操作は、タッチスクリーン２１の検出結果に基づいて判定される。
【００５１】
コントローラ１０は、例えば、制御プログラム９Ａを実行することにより、電話発信操作が行われたときに、嗅覚センサ７を有効な状態にする。
【００５２】
図８を参照して、実施形態２に係る携帯電話１の処理手順の一例を説明する。図８は、実施形態１に係る携帯電話による処理手順の一例を示す図である。図８に示す処理手順は、コントローラ１０が、ストレージ９に記憶されている制御プログラム９Ａなどを実行することによって実現される。図８に示す処理手順は、携帯電話１の起動中、コントローラ１０により繰り返し実行される。
【００５３】
図８に示すように、コントローラ１０は、ステップＳ２０１として、通話アプリケーション９Ｂが実行中であるかどうかを判定する。
【００５４】
コントローラ１０は、判定の結果、通話アプリケーション９Ｂが実行中である場合には（ステップＳ２０１、Ｙｅｓ）、ステップＳ２０２として、電話発信操作が行われたかどうかを判定する。コントローラ１０は、判定の結果、電話発信操作が行われた場合には（ステップＳ２０２、Ｙｅｓ）、ステップＳ２０３として、嗅覚センサ７が無効な状態であるか否かを判定する。
【００５５】
コントローラ１０は、判定の結果、嗅覚センサ７が無効な状態である場合には（ステップＳ２０３、Ｙｅｓ）、ステップＳ２０４として、嗅覚センサ７を有効な状態にして、図８に示す処理手順を終了する。一方、コントローラ１０は、判定の結果、嗅覚センサ７が無効な状態ではない場合（つまり、有効な状態である場合）には（ステップＳ２０３、Ｎｏ）、そのまま、図８に示す処理手順を終了する。
【００５６】
ステップＳ２０２において、コントローラ１０は、判定の結果、電話発信操作が行われていない場合には（ステップＳ２０２、Ｎｏ）、ステップＳ２０５として、嗅覚センサ７が有効な状態であるか否かを判定する。
【００５７】
コントローラ１０は、判定の結果、嗅覚センサ７が有効な状態である場合には（ステップＳ２０５、Ｙｅｓ）、ステップＳ２０６として、嗅覚センサ７を無効な状態にして、図８に示す処理手順を終了する。一方、コントローラ１０は、判定の結果、嗅覚センサ７が有効な状態ではない場合（つまり、無効な状態である場合）には（ステップＳ２０５、Ｎｏ）、そのまま、図８に示す処理手順を終了する。
【００５８】
ステップＳ２０１において、コントローラ１０は、判定の結果、通話アプリケーション９Ｂが実行中ではない場合には（ステップＳ２０１、Ｎｏ）、上述したステップＳ２０５に移り、嗅覚センサ７が有効な状態であるか否かを判定する。
【００５９】
図９は、実施形態２に係る通話アプリケーションの実行状態と嗅覚センサの稼動状態との関係を示す図である。図９に示すように、図８に示す処理手順によれば、携帯電話１は、ユーザ操作に応じて起動された通話アプリケーション９Ｂが実行中の状態にある場合に、ユーザによる電話発信操作があったことを契機として、嗅覚センサ７の稼動を開始させる。携帯電話１は、通話アプリケーション９Ｂの実行中であっても、ユーザによる電話発信操作がなければ、嗅覚センサ７の稼動を開始させない。このため、実施形態２によれば、実施形態１に示す例よりも、ユーザに関するデータの測定を行うときに嗅覚センサ７により消費される電力を抑えることができる。さらに、実施形態２によれば、嗅覚センサ７による測定対象が、例えば、ユーザの呼気に含まれる特定の物質の濃度である場合に、実施形態１に示す例よりも、測定データを効率的に取得できる。ユーザにより電話発信操作が行われた場合、ユーザによる発話が行われることが容易に推察される。この推察に基づいた場合、通話が開始されるまで、ユーザによる発話が行われないことが多いものと考えられる。よって、通話アプリケーションが実行されている間、嗅覚センサ７を稼動させておくよりも、電話発信操作を契機として稼動を開始させる方が、嗅覚センサ７の稼働時間のうち、測定データを採取できない無駄な稼働時間を少なくできるので、効率的な測定データの取得を実現できる。
【００６０】
（実施形態３）
実施形態３では、ユーザの電話発信操作に応じた電話接続が確立されたときに、嗅覚センサ７を有効な状態にする例を説明する。実施形態３に係る携帯電話の機能的な構成は、基本的には、実施形態１と同様であるが、以下に説明する点が異なる。
【００６１】
制御プログラム９Ａには、ユーザの電話発信操作に応じて電話接続が確立されたときに、嗅覚センサ７を有効な状態にする機能が含まれる。
【００６２】
コントローラ１０は、例えば、制御プログラム９Ａを実行することにより、ユーザの電話発信操作に応じた電話接続が確立されたときに、嗅覚センサ７を有効な状態にする。
【００６３】
図１０を参照して、実施形態３に係る携帯電話１の処理手順の一例を説明する。図１０は、実施形態３に係る携帯電話による処理手順の一例を示す図である。図１０に示す処理手順は、コントローラ１０が、ストレージ９に記憶されている制御プログラム９Ａなどを実行することによって実現される。図１０に示す処理手順は、携帯電話１の起動中、コントローラ１０により繰り返し実行される。
【００６４】
図１０に示すように、コントローラ１０は、ステップＳ３０１として、通話アプリケーション９Ｂが実行中であるかどうかを判定する。
【００６５】
コントローラ１０は、判定の結果、通話アプリケーション９Ｂが実行中である場合には（ステップＳ３０１、Ｙｅｓ）、ステップＳ３０２として、電話発信操作に応じた電話接続が確立されたかどうかを判定する。コントローラ１０は、判定の結果、電話発信操作に応じた電話接続が確立された場合には（ステップＳ３０２、Ｙｅｓ）、ステップＳ３０３として、嗅覚センサ７が無効な状態であるか否かを判定する。
【００６６】
コントローラ１０は、判定の結果、嗅覚センサ７が無効な状態である場合には（ステップＳ３０３、Ｙｅｓ）、ステップＳ３０４として、嗅覚センサ７を有効な状態にして、図１０に示す処理手順を終了する。一方、コントローラ１０は、判定の結果、嗅覚センサ７が無効な状態ではない場合（つまり、有効な状態である場合）には（ステップＳ３０３、Ｎｏ）、そのまま、図１０に示す処理手順を終了する。
【００６７】
ステップＳ３０２において、コントローラ１０は、判定の結果、電話発信操作に応じた電話接続が確立されていない場合には（ステップＳ３０２、Ｎｏ）、ステップＳ３０５として、嗅覚センサ７が有効な状態であるか否かを判定する。
【００６８】
コントローラ１０は、判定の結果、嗅覚センサ７が有効な状態である場合には（ステップＳ３０５、Ｙｅｓ）、ステップＳ３０６として、嗅覚センサ７を無効な状態にして、図１０に示す処理手順を終了する。一方、コントローラ１０は、判定の結果、嗅覚センサ７が有効な状態ではない場合（つまり、無効な状態である場合）には（ステップＳ３０５、Ｎｏ）、そのまま、図１０に示す処理手順を終了する。
【００６９】
ステップＳ３０１において、コントローラ１０は、判定の結果、通話アプリケーション９Ｂが実行中ではない場合には（ステップＳ３０１、Ｎｏ）、上述したステップＳ３０５に移り、嗅覚センサ７が有効な状態であるか否かを判定する。
【００７０】
図１１は、実施形態３に係る通話アプリケーションの実行状態と嗅覚センサの稼動状態との関係を示す図である。図１１に示すように、図１０に示す処理手順によれば、携帯電話１は、ユーザ操作に応じて起動された通話アプリケーション９Ｂが実行中の状態にある場合に、ユーザによる電話発信操作に応じた電話接続が確立されたことを契機として、嗅覚センサ７の稼動を開始させる。携帯電話１は、通話アプリケーション９Ｂの実行中であっても、ユーザによる電話発信操作に応じた電話接続が確立されていなければ、嗅覚センサ７の稼動を開始させない。このため、実施形態３によれば、実施形態２に示す例よりも、ユーザに関するデータの測定を行うときに嗅覚センサ７により消費される電力をさらに抑えることができる。さらに、実施形態２によれば、嗅覚センサ７による測定対象が、例えば、ユーザの呼気に含まれる特定の物質の濃度である場合に、実施形態２に示す例よりも、測定データを効率的に取得できる。ユーザにより電話発信操作が行われた場合、ユーザ側から発話が開始される場合が多いものと推察される。この推察に基づいた場合、電話接続が確立されるまで、ユーザ側からの発話が行われないことが多いものと考えられる。よって、電話発信操作を契機として嗅覚センサ７の稼動を開始させるよりも、電話接続の確立を契機として稼動を開始させる方が、嗅覚センサ７を無駄に稼動させる時間を少なくすることができるので、効率的な測定データの取得を実現できる。
【００７１】
（実施形態４）
実施形態４では、ユーザの電話発信操作に応じた電話接続が確立された後、マイク８に入力される音の音圧レベルが一定値以上となったときに、嗅覚センサ７を有効な状態にする例を説明する。実施形態４に係る携帯電話の機能的な構成は、基本的には、実施形態１と同様であるが、以下に説明する点が異なる。
【００７２】
設定データ９Ｚには、マイク８に入力された音（音信号）が、ユーザの発話により入力された音声であると判定するための一定値が含まれる。
【００７３】
制御プログラム９Ａには、ユーザの電話発信操作に応じた電話接続が確立された後、マイク８に入力される音声の音圧レベルが一定値以上となったときに、嗅覚センサ７を有効な状態にする機能が含まれる。
【００７４】
コントローラ１０は、例えば、制御プログラム９Ａを実行することにより、ユーザの電話発信操作に応じた電話接続が確立された後、マイク８に入力される音の音圧レベルが一定値以上となったときに、嗅覚センサ７を有効な状態にする。
【００７５】
図１２を参照して、実施形態４に係る携帯電話１の処理手順の一例を説明する。図１２は、実施形態４に係る携帯電話による処理手順の一例を示す図である。図１２に示す処理手順は、コントローラ１０が、ストレージ９に記憶されている制御プログラム９Ａなどを実行することによって実現される。図１２に示す処理手順は、携帯電話１の起動中、コントローラ１０により繰り返し実行される。
【００７６】
図１２に示すように、コントローラ１０は、ステップＳ４０１として、通話アプリケーション９Ｂが実行中であるかどうかを判定する。
【００７７】
コントローラ１０は、判定の結果、通話アプリケーション９Ｂが実行中である場合には（ステップＳ４０１、Ｙｅｓ）、ステップＳ４０２として、発信により確立された電話接続による通話中であるかどうかを判定する。コントローラ１０は、判定の結果、発信により確立された電話接続による通話中である場合には（ステップＳ４０２、Ｙｅｓ）、ステップＳ４０３として、マイク８に入力される音（音信号）の音圧レベルを取得する。
【００７８】
続いて、コントローラ１０は、ステップＳ４０４として、マイク８に入力される音（音信号）の音圧レベルが一定値以上であるか否かを判定する。コントローラ１０は、判定の結果、マイク８に入力される音（音信号）の音圧レベルが一定値以上ではない場合には（ステップＳ４０４、Ｎｏ）、上述したステップＳ４０２の処理手順、すなわち、発信により確立された電話接続による通話中であるかどうかの判定に戻る。一方、コントローラ１０は、判定の結果、マイク８に入力される音（音信号）の音圧レベルが一定値以上である場合には（ステップＳ４０４、Ｙｅｓ）、ステップＳ４０５として、嗅覚センサ７が無効な状態であるか否かを判定する。
【００７９】
コントローラ１０は、判定の結果、嗅覚センサ７が無効な状態である場合には（ステップＳ４０５、Ｙｅｓ）、ステップＳ４０６として、嗅覚センサ７を有効な状態にして、図１２に示す処理手順を終了する。一方、コントローラ１０は、判定の結果、嗅覚センサ７が無効な状態ではない場合（つまり、有効な状態である場合）には（ステップＳ４０５、Ｎｏ）、そのまま、図１２に示す処理手順を終了する。
【００８０】
ステップＳ４０２において、コントローラ１０は、判定の結果、発信により確立された電話接続による通話中ではない場合には（ステップＳ４０２、Ｎｏ）、ステップＳ４０７として、嗅覚センサ７が有効な状態であるか否かを判定する。
【００８１】
コントローラ１０は、判定の結果、嗅覚センサ７が有効な状態である場合には（ステップＳ４０７、Ｙｅｓ）、ステップＳ４０８として、嗅覚センサ７を無効な状態にして、図１２に示す処理手順を終了する。一方、コントローラ１０は、判定の結果、嗅覚センサ７が有効な状態ではない場合（つまり、無効な状態である場合）には（ステップＳ４０７、Ｎｏ）、そのまま、図１２に示す処理手順を終了する。
【００８２】
ステップＳ４０１において、コントローラ１０は、判定の結果、通話アプリケーション９Ｂが実行中ではない場合には（ステップＳ４０１、Ｎｏ）、上述したステップＳ４０７に移り、嗅覚センサ７が有効な状態であるか否かを判定する。
【００８３】
図１３は、実施形態４に係る通話アプリケーションの実行状態と嗅覚センサの稼動状態との関係を示す図である。図１３に示すように、図１２に示す処理手順によれば、携帯電話１は、ユーザ操作に応じて起動された通話アプリケーション９Ｂが実行中の状態にあり、さらに、ユーザの電話発信操作に応じて確立された電話接続による通話が開始された後、マイク８に入力される音の音圧が一定以上となったことを契機として、嗅覚センサ７の稼動を開始させる。つまり、携帯電話１は、通話開始後、ユーザの発話を検出したタイミングで、嗅覚センサ７の稼動を開始する。携帯電話１は、電話発信操作に応じて確立された電話接続による通話が開始された後であっても、マイクに入力される音の音圧が一定値以上にならなければ、嗅覚センサ７の稼動を開始させない。このため、実施形態４によれば、実施形態３に示す例よりも、ユーザに関するデータの測定を行うときに嗅覚センサ７により消費される電力をさらに抑えることができる。さらに、実施形態４によれば、嗅覚センサ７による測定対象が、例えば、ユーザの呼気に含まれる特定の物質の濃度である場合に、実施形態３に示す例よりも、測定データを効率的に取得できる。つまり、電話接続の確立を契機として嗅覚センサ７の稼動を開始させるよりも、ユーザの発話を契機として嗅覚センサ７の稼動を開始させる方が、嗅覚センサ７の稼働時間のうち、測定データを採取できない無駄な稼働時間をさらに少なくできるので、効率的な測定データの取得を実現できる。
【００８４】
（実施形態５）
実施形態２〜４では、携帯電話１のユーザからの電話発信が行われる場合の処理の例について説明してきたが、以下の実施形態５では、携帯電話１が着信を受けた場合の処理の例を説明する。実施形態５に係る携帯電話の機能的な構成は、基本的には、実施形態１と同様であるが、以下に説明する点が異なる。
【００８５】
制御プログラム９Ａには、着信応答操作が行われたときに、嗅覚センサ７を有効な状態にする機能が含まれる。着信応答操作には、例えば、ボタン３による操作が含まれる。着信応答操作には、通話に関する操作を行うためのユーザインタフェース上で、着信に応答するためにユーザにより実行される操作が含まれる。通話に関する操作を行うためのユーザインタフェース上でユーザにより行われる操作は、タッチスクリーン２１の検出結果に基づいて判定される。
【００８６】
コントローラ１０は、例えば、制御プログラム９Ａを実行することにより、着信応答操作が行われたときに、嗅覚センサ７を有効な状態にする。
【００８７】
図１４を参照して、実施形態５に係る携帯電話１の処理手順の一例を説明する。図１４は、実施形態５に係る携帯電話による処理手順の一例を示す図である。図１４に示す処理手順は、コントローラ１０が、ストレージ９に記憶されている制御プログラム９Ａなどを実行することによって実現される。図１４に示す処理手順は、携帯電話１の起動中、コントローラ１０により繰り返し実行される。
【００８８】
図１４に示すように、コントローラ１０は、ステップＳ５０１として、通話アプリケーション９Ｂが実行中であるかどうかを判定する。
【００８９】
コントローラ１０は、判定の結果、通話アプリケーション９Ｂが実行中である場合には（ステップＳ５０１、Ｙｅｓ）、ステップＳ５０２として、着信応答操作が行われたかどうかを判定する。コントローラ１０は、判定の結果、着信応答操作が行われた場合には（ステップＳ５０２、Ｙｅｓ）、ステップＳ５０３として、嗅覚センサ７が無効な状態であるか否かを判定する。
【００９０】
コントローラ１０は、判定の結果、嗅覚センサ７が無効な状態である場合には（ステップＳ５０３、Ｙｅｓ）、ステップＳ５０４として、嗅覚センサ７を有効な状態にして、図１４に示す処理手順を終了する。一方、コントローラ１０は、判定の結果、嗅覚センサ７が無効な状態ではない場合（つまり、有効な状態である場合）には（ステップＳ５０３、Ｎｏ）、そのまま、図１４に示す処理手順を終了する。
【００９１】
ステップＳ５０２において、コントローラ１０は、判定の結果、着信応答操作が行われていない場合には（ステップＳ５０２、Ｎｏ）、ステップＳ５０５として、嗅覚センサ７が有効な状態であるか否かを判定する。
【００９２】
コントローラ１０は、判定の結果、嗅覚センサ７が有効な状態である場合には（ステップＳ５０５、Ｙｅｓ）、ステップＳ５０６として、嗅覚センサ７を無効な状態にして、図１４に示す処理手順を終了する。一方、コントローラ１０は、判定の結果、嗅覚センサ７が有効な状態ではない場合（つまり、無効な状態である場合）には（ステップＳ５０５、Ｎｏ）、そのまま、図１４に示す処理手順を終了する。
【００９３】
ステップＳ５０１において、コントローラ１０は、判定の結果、通話アプリケーション９Ｂが実行中ではない場合には（ステップＳ５０１、Ｎｏ）、上述したステップＳ５０５に移り、嗅覚センサ７が有効な状態であるか否かを判定する。
【００９４】
図１５は、実施形態５に係る通話アプリケーションの実行状態と嗅覚センサの稼動状態との関係を示す図である。図１５に示すように、図１４に示す処理手順によれば、携帯電話１は、例えば、着信に応じて起動された通話アプリケーション９Ｂの実行中に、ユーザによる着信応答操作があったことを契機として、嗅覚センサ７の稼動を開始させる。携帯電話１は、通話アプリケーション９Ｂの実行中であっても、ユーザによる着信応答操作がなければ、嗅覚センサ７の稼動を開始させない。このため、実施形態５によれば、ユーザに関するデータの測定を行うときに嗅覚センサ７により消費される電力を抑えることができる。さらに、実施形態５によれば、嗅覚センサ７による測定対象が、例えば、ユーザの呼気に含まれる特定の物質の濃度である場合に、測定データを効率的に取得できる。すなわち、通話アプリケーションが実行されている間、嗅覚センサ７を稼動させておくよりも、着信応答操作を契機として稼動を開始させる方が、嗅覚センサ７の稼働時間のうち、測定データを採取できない無駄な稼働時間を少なくできるので、効率的な測定データの取得を実現できる。
【００９５】
（実施形態６）
実施形態６では、ユーザの着信応答操作に応じた電話接続が確立された後、スピーカ１１から出力される音の音圧レベルが一定値以上となったときに、嗅覚センサ７を有効な状態にする例を説明する。実施形態６に係る携帯電話の機能的な構成は、基本的には、実施形態１と同様であるが、以下に説明する点が異なる。
【００９６】
設定データ９Ｚには、スピーカ１１から出力される音（音信号）が、通話の相手側の発話により出力された音声であると判定するための一定値が含まれる。
【００９７】
制御プログラム９Ａには、ユーザの着信応答操作に応じた電話接続が確立された後、スピーカ１１から出力される音の音圧レベルが一定値以上となったときに、嗅覚センサ７を有効な状態にする機能が含まれる。
【００９８】
コントローラ１０は、例えば、制御プログラム９Ａを実行することにより、ユーザの着信応答操作に応じた電話接続が確立された後、スピーカ１１から出力される音の音圧レベルが一定値以上となったときに、嗅覚センサ７を有効な状態にする。
【００９９】
図１６を参照して、実施形態６に係る携帯電話１の処理手順の一例を説明する。図１６は、実施形態６に係る携帯電話による処理手順の一例を示す図である。図１６に示す処理手順は、コントローラ１０が、ストレージ９に記憶されている制御プログラム９Ａなどを実行することによって実現される。図１６に示す処理手順は、携帯電話１の起動中、コントローラ１０により繰り返し実行される。
【０１００】
図１６に示すように、コントローラ１０は、ステップＳ６０１として、通話アプリケーション９Ｂが実行中であるかどうかを判定する。
【０１０１】
コントローラ１０は、判定の結果、通話アプリケーション９Ｂが実行中である場合には（ステップＳ６０１、Ｙｅｓ）、ステップＳ６０２として、着信により確立された電話接続による通話中であるかどうかを判定する。コントローラ１０は、判定の結果、着信により確立された電話接続による通話中である場合には（ステップＳ６０２、Ｙｅｓ）、ステップＳ６０３として、スピーカ１１から出力される音（音信号）の音圧レベルを取得する。
【０１０２】
続いて、コントローラ１０は、ステップＳ６０４として、スピーカ１１から出力される音（音信号）の音圧レベルが一定値以上であるか否かを判定する。コントローラ１０は、判定の結果、スピーカ１１から出力される音（音信号）の音圧レベルが一定値以上ではない場合には（ステップＳ６０４、Ｎｏ）、上述したステップＳ６０２の処理手順、すなわち、着信により確立された電話接続による通話中であるどうかの判定に戻る。一方、コントローラ１０は、判定の結果、マイク８に入力される音（音信号）の音圧レベルが一定値以上である場合には（ステップＳ６０４、Ｙｅｓ）、ステップＳ６０５として、嗅覚センサ７が無効な状態であるか否かを判定する。
【０１０３】
コントローラ１０は、判定の結果、嗅覚センサ７が無効な状態である場合には（ステップＳ６０５、Ｙｅｓ）、ステップＳ６０６として、嗅覚センサ７を有効な状態にして、図１６に示す処理手順を終了する。一方、コントローラ１０は、判定の結果、嗅覚センサ７が無効な状態ではない場合（つまり、有効な状態である場合）には（ステップＳ６０５、Ｎｏ）、そのまま、図１６に示す処理手順を終了する。
【０１０４】
ステップＳ６０２において、コントローラ１０は、判定の結果、着信により確立された電話接続による通話中ではない場合には（ステップＳ６０２、Ｎｏ）、ステップＳ６０７として、嗅覚センサ７が有効な状態であるか否かを判定する。
【０１０５】
コントローラ１０は、判定の結果、嗅覚センサ７が有効な状態である場合には（ステップＳ６０７、Ｙｅｓ）、ステップＳ６０８として、嗅覚センサ７を無効な状態にして、図１６に示す処理手順を終了する。一方、コントローラ１０は、判定の結果、嗅覚センサ７が有効な状態ではない場合（つまり、無効な状態である場合）には（ステップＳ６０７、Ｎｏ）、そのまま、図１６に示す処理手順を終了する。
【０１０６】
ステップＳ６０１において、コントローラ１０は、判定の結果、通話アプリケーション９Ｂが実行中ではない場合には（ステップＳ６０１、Ｎｏ）、上述したステップＳ６０７に移り、嗅覚センサ７が有効な状態であるか否かを判定する。
【０１０７】
図１７は、実施形態６に係る通話アプリケーションの実行状態と嗅覚センサの稼動状態との関係を示す図である。図１７に示すように、図１６に示す処理手順によれば、携帯電話１は、着信応答操作に応じて確立された電話接続による通話が開始された後、スピーカ１１から出力される音の音圧が一定以上となったことを契機として、嗅覚センサ７の稼動を開始させる。つまり、携帯電話１は、通話開始後、通話の相手側の発話を検出したタイミングで、嗅覚センサ７の稼動を開始する。携帯電話１は、着信応答操作に応じて確立された電話接続による通話が開始された後であっても、スピーカ１１から出力される音の音圧が一定値以上にならなければ、嗅覚センサ７の稼動を開始させない。このため、実施形態６によれば、実施形態５に示す例よりも、ユーザに関するデータの測定を行うときに嗅覚センサ７により消費される電力をさらに抑えることができる。さらに、実施形態６によれば、嗅覚センサ７による測定対象が、例えば、ユーザの呼気に含まれる特定の物質の濃度である場合に、実施形態５に示す例よりも、測定データを効率的に取得できる。ユーザにより着信応答操作が行われた場合、通話の相手側から発話が開始されることが多いものと推察される。この推察に基づいた場合、通話の相手側による発話が開始された後に、ユーザによる発話が行われることが多いものと考えられる。そこで、着信応答操作を契機として嗅覚センサ７の稼動を開始させるよりも、通話の相手側の発話を検出したことを契機として稼動を開始させる方が、嗅覚センサ７の稼働時間のうち、測定データを採取できない無駄な稼働時間をさらに少なくできるので、効率的な測定データの取得を実現できる。さらに、実施形態６において、携帯電話１は、着信があった後、例えば、実施形態４で説明したように、ユーザの発話を契機として、嗅覚センサ７を稼動させるようにしてもよい。
【０１０８】
上記の実施形態では、添付の請求項に係る装置の例として、携帯電話について説明したが、添付の請求項に係る装置は、携帯電話に限定されない。添付の請求項に係る装置は、携帯電話以外の電子機器であってもよい。電子機器は、例えば、タブレット、携帯型パソコン、デジタルカメラ、メディアプレイヤ、電子書籍リーダ、ナビゲータ、ヘッドセット、医療用機器及びゲーム機を含むが、これらに限定されない。
【０１０９】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【０１１０】
１  携帯電話
２  ディスプレイ
３  ボタン
４  照度センサ
５  近接センサ
６  通信ユニット
７  嗅覚センサ
８  マイク
９  ストレージ
９Ａ  制御プログラム
９Ｂ  通話アプリケーション
９Ｚ  設定データ
１０  コントローラ
１１  スピーカ
１２  カメラ
１５  姿勢検出ユニット
１８  バイブレータ
２１  タッチスクリーン
【図１】
2014007651.tif 000003
【図２】
2014007651.tif 000004
【図３】
2014007651.tif 000005
【図４】
2014007651.tif 000006
【図５】
2014007651.tif 000007
【図６】
2014007651.tif 000008
【図７】
2014007651.tif 000009
【図８】
2014007651.tif 000010
【図９】
2014007651.tif 000011
【図１０】
2014007651.tif 000012
【図１１】
2014007651.tif 000013
【図１２】
2014007651.tif 000014
【図１３】
2014007651.tif 000015
【図１４】
2014007651.tif 000016
【図１５】
2014007651.tif 000017
【図１６】
2014007651.tif 000018
【図１７】
2014007651.tif 000019